(57)【要約】【課題】本発明は、横ルーバを上吹出し姿勢と閉姿勢と下吹出し姿勢との間で開閉回動自在に配置している場合、横ルーバの閉姿勢に移行する際に起こる異音の発生を防止して送風性能を向上させ得る空気調節装置の風向変更装置を提供する。【解決手段】横ルーバ位置検出部により横ルーバの姿勢を監視しつつ、横ルーバが上吹出し姿勢または下吹出し姿勢から閉姿勢に切換わるとき、ファンを駆動するファンモータを停止あるいは低速で駆動制御すると共に、横ルーバの上吹出し姿勢から閉姿勢までの回動角と、下吹出し姿勢から閉姿勢までの回動角とのうち、小さい方の回動角を有する閉姿勢への切換動作において、大きい方の回動角を有する閉姿勢への切換動作よりも、横ルーバモータの回転速度が遅くなるように制御し、横ルーバの閉姿勢への回動切換え動作時にファンモータの回転速度を遅くする回転速度制御に追従させる。【選択図】  図７
2011064453.tif 000002
【特許請求の範囲】
【請求項１】
キャビネット内の空気通路の前面に形成された吹出口と、該吹出口の前側に回動軸周りに回動自在に設けられた横ルーバと、ファンの風量を制御すると共に前記横ルーバを吹出口の前面において回動自在に駆動制御してファンから送られた風の吹出し方向を変更する制御部とを備え、
前記横ルーバが、横ルーバの下端が吹出口の後方に回動して吹出口から吹出す風を上方に導く上吹出し姿勢と、横ルーバの下端をキャビネットの外側に回動させて吹出口から露出させ、吹出口から吹出す風を下方に導く下吹出し姿勢と、前記上吹出し姿勢と下吹出し姿勢との中間でキャビネットの開口を閉塞する閉姿勢との間で切換回動自在とされ、
前記制御部は、横ルーバ位置検出部により横ルーバの姿勢を監視しつつ、横ルーバが上吹出し姿勢または下吹出し姿勢から閉姿勢に切換わるとき、ファンを駆動するファンモータを停止あるいは低速で駆動制御すると共に、横ルーバの上吹出し姿勢から閉姿勢までの回動角と、下吹出し姿勢から閉姿勢までの回動角とのうち、小さい方の回動角を有する閉姿勢への切換動作において、大きい方の回動角を有する閉姿勢への切換動作よりも、横ルーバモータの回転速度が遅くなるように制御し、横ルーバの閉姿勢への回動切換え動作時にファンモータの回転速度を遅くする回転速度制御に追従するようにしたことを特徴とする空気調節装置の風向変更装置。
【請求項２】
前記制御部は、横ルーバが閉姿勢から上吹出し姿勢または下吹出し姿勢に切換わるとき、ファンモータの回転速度を徐々に上げて所定の回転速度で駆動制御することを特徴とする請求項１に記載の空気調節装置の風向変更装置。
【請求項３】
前記制御部は、横ルーバ位置検出部により横ルーバの姿勢を監視しつつ、横ルーバが上吹出し姿勢から下吹出し姿勢への切換により閉姿勢に移行する際、あるいはその逆に、下吹出し姿勢から上吹出し姿勢への切換により閉姿勢に移行する際、横ルーバが閉姿勢に近づくにつれ、ファンを停止あるいは低速運転に切換える制御と、横ルーバが閉姿勢を通過して上吹出し姿勢あるいは下吹出し姿勢に移行するため開口を開いたときに、再びファンを所定の回転速度に上げる制御とを行なうことを特徴とする請求項１または２に記載の空気調節装置の風向変更装置。
【請求項４】
前記キャビネットの前面開口がキャビネットの前面下部に斜め下向きに形成され、前記横ルーバが、その閉姿勢でキャビネットの前面開口を閉塞するように、上端部の回動軸周りに開閉回動自在に設けられ、前記横ルーバの前記上吹出し姿勢から閉姿勢への回動角度が、前記下吹出し姿勢から閉姿勢への回動角度よりも小さく設定されたことを特徴とする請求項１〜３のいずれかに記載の空気調節装置の風向変更装置。
【発明の詳細な説明】
【技術分野】
【０００１】
本発明は、キャビネットの吹出口から吹出す風向を変更する風向変更装置を備えた空気調節装置に関する。
【背景技術】
【０００２】
空気調節装置において、空気通路の風向制御を行う場合、キャビネットの前面開口を開閉自在に開放する導風パネルやそれよりも後方の吹出口近傍に配置された補助ルーバを制御することが行われているが（特許文献１参照）、導風パネルや補助ルーバは夫々吹出口の近傍に配置され、かつ単体での制御であるため、補助ルーバおよび導風パネルの開閉動作を空気通路の上流側に配置されたファンの駆動制御に追随させて、送風性能を向上させることが難しかった。
【０００３】
特に、横ルーバが、その下端を吹出口の後方に回動させて吹出口から吹出す風を上方に導く上吹出し姿勢と、横ルーバの下端をキャビネットの外側に回動させて吹出口から露出させ、吹出口から吹出す風を下方に導く下吹出し姿勢と、上吹出し姿勢と下吹出し姿勢との中間でキャビネットの前面開口を閉塞する閉姿勢との間で切換回動自在とされた空気調節装置の風向変更装置においては、横ルーバを下吹出し姿勢あるいは上吹出し姿勢から閉姿勢に切換えるとき、閉姿勢ではキャビネットの開口がほぼ閉塞された状態となるため、この状態でファンモータを通常どおり運転すると、ファンにかかる負荷が軽くなり、ファンの回転数が上がるため、異音の発生原因となる。
【０００４】
また、キャビネットの開口がキャビネットの前面下部において斜め下向きに形成されている場合、横ルーバの閉姿勢は、その下端を鉛直方向よりも吹出口側に傾斜した状態となる。一方、横ルーバの下吹出し姿勢は、その下端が鉛直方向よりも前方側に開いた状態となる。
【０００５】
したがって、横ルーバの閉姿勢から上吹出し姿勢までの回動角は、下吹出し姿勢までの回動角よりも小さい。そのため、回動角の異なる姿勢への切換えを同じ速度で行うと、閉姿勢から上吹出し姿勢への移行時間が閉姿勢から下吹出し姿勢への移行時間よりも短いため、上吹出し姿勢から閉姿勢への移行時にファンモータの回転を遅くする回転速度制御（停止制御）が横ルーバの回動速度に追い付かない可能性がある。
【先行技術文献】
【特許文献】
【０００６】
【特許文献１】特開２００８−１３８８９２号公報
【発明の概要】
【発明が解決しようとする課題】
【０００７】
本発明は、上記に鑑み、空気通路の風向制御において、横ルーバを上吹出し姿勢と閉姿勢と下吹出し姿勢との間で開閉回動自在に配置している場合、横ルーバの閉姿勢に移行する際に起こる異音の発生を防止して送風性能を向上させ得る空気調節装置の風向変更装置の提供を目的としている。
【課題を解決するための手段】
【０００８】
上記目的を達成するために、本発明に係る空気調節装置の風向変更装置は、キャビネット内の空気通路の前面に形成された吹出口と、該吹出口の前側に回動軸周りに回動自在に設けられた横ルーバと、ファンの風量を制御すると共に前記横ルーバを吹出口の前面において回動自在に駆動制御してファンから送られた風の吹出し方向を変更する制御部とを備え、前記横ルーバが、横ルーバの下端が吹出口の後方に回動して吹出口から吹出す風を上方に導く上吹出し姿勢と、横ルーバの下端をキャビネットの外側に回動させて吹出口から露出させ、吹出口から吹出す風を下方に導く下吹出し姿勢と、前記上吹出し姿勢と下吹出し姿勢との中間でキャビネットの開口を閉塞する閉姿勢との間で切換回動自在とされ、前記制御部は、横ルーバ位置検出部により横ルーバの姿勢を監視しつつ、横ルーバが上吹出し姿勢または下吹出し姿勢から閉姿勢に切換わるとき、ファンを駆動するファンモータを停止あるいは低速で駆動制御すると共に、横ルーバの上吹出し姿勢から閉姿勢までの回動角と、下吹出し姿勢から閉姿勢までの回動角とのうち、小さい方の回動角を有する閉姿勢への切換動作において、大きい方の回動角を有する閉姿勢への切換動作よりも、横ルーバモータの回転速度が遅くなるように制御し、横ルーバの閉姿勢への回動切換え動作時にファンモータの回転速度を遅くする回転速度制御に追従するようにしたことを特徴とする。
【０００９】
上記構成において、横ルーバが上吹出し姿勢または下吹出し姿勢から閉姿勢に切換わるとき、ファンを駆動するファンモータを停止あるいは低速で駆動制御するので、閉姿勢に近づくにつれファンにかかる負荷が軽くなり、ファンの回転数が上がることによって起こる異音の発生を防止することができる。しかも、横ルーバの上吹出し姿勢から閉姿勢までの回動角と、下吹出し姿勢から閉姿勢までの回動角とのうち、小さい方の回動角を有する閉姿勢への切換動作において、大きい方の回動角を有する閉姿勢への切換動作よりも、横ルーバモータの回転速度を遅くし、横ルーバの閉姿勢への回動切換え動作時にファンモータの回転速度を遅くする回転速度制御に追従させているので、閉姿勢に近づくにつれて、ファンの回転数が上がることによって起こる異音の発生を防止することができる。
【００１０】
ここで、制御部は、横ルーバが閉姿勢から上吹出し姿勢または下吹出し姿勢に切換わるとき、ファンモータの回転速度を徐々に上げて所定の回転速度で駆動制御することができる。そのため、キャビネットの前面開口が開いた状態ではファンによる送風が再開されるので、快適な運転状態を得ることができる。
【００１１】
なお、横ルーバの上吹出し姿勢または下吹出し姿勢から閉姿勢への切換え動作と、閉姿勢から上吹出し姿勢または下吹出し姿勢への切換え動作のみならず、上吹出し姿勢から閉姿勢を経て下吹出し姿勢へ移行する切換え動作や、下吹出し姿勢から閉姿勢を経て上吹出し姿勢へ移行する切換え動作にも本発明を適用することができる。
【００１２】
すなわち、制御部は、横ルーバ位置検出部により横ルーバの姿勢を監視しつつ、横ルーバが上吹出し姿勢から下吹出し姿勢への切換により閉姿勢に移行する際、あるいはその逆に、下吹出し姿勢から上吹出し姿勢への切換により閉姿勢に移行する際、横ルーバが閉姿勢に近づくにつれ、ファンを停止あるいは低速運転に切換える制御と、横ルーバが閉姿勢を通過して上吹出し姿勢あるいは下吹出し姿勢に移行するため開口を開いたときに、再びファンを所定の回転速度に上げる制御とを行なうこともできる。
【００１３】
横ルーバの回動軸の位置は、横ルーバのいずれの箇所であってもよい。例えば、回動軸は、横ルーバの奥行き長さ方向で中央位置であっても、あるいは上端位置近傍であってもよい。ただ、横ルーバの回動軸が上端位置近傍にある場合、横ルーバの上吹出し姿勢から閉姿勢への回動角度を、下吹出し姿勢から閉姿勢への回動角度よりも小さくすることができる。例えば、キャビネットの前面開口がキャビネットの前面下部に斜め下向きに形成され、横ルーバが、その閉姿勢でキャビネットの前面開口を閉塞するように上端部の回動軸周りに開閉回動自在とされている場合、横ルーバの上吹出し姿勢から閉姿勢への回動角度を、下吹出し姿勢から閉姿勢への回動角度よりも小さく設定することができる。
【００１４】
なお、横ルーバは、１枚の板材から構成し、その閉姿勢においてキャビネットの前面開口を覆うように配置し、キャビネットの前面開口の曲面形状に合わせた曲面状に形成することができる。これにより、横ルーバにより吹出口を閉塞し、キャビネットの外観の一部を構成することができる。
【００１５】
また、横ルーバは、その上吹出し姿勢で、その内面側が凹状曲面となるように形成し、その後ろ側に配置された整流板と協働して横ルーバ単体の長さよりも長い送風案内路を形成することができる。横ルーバの内面側が凹状曲面となっているので、送風案内路は、吹出口から吹き出す風を凹状曲面に沿って斜め上方に向かって遠くまで吹き出すことができる。
【発明の効果】
【００１６】
以上のとおり、本発明によれば、横ルーバの上吹出し姿勢から閉姿勢までの回動角と、下吹出し姿勢から閉姿勢までの回動角とのうち、小さい方の回動角を有する閉姿勢への切換動作において、大きい方の回動角を有する閉姿勢への切換動作よりも、横ルーバモータの回転速度を遅くし、横ルーバの閉姿勢への回動切換え動作時にファンモータの回転速度を遅くする回転速度制御に追従させているので、閉姿勢に近づくにつれて、ファンの回転数が上がることによって起こる異音の発生を防止することができる。
【図面の簡単な説明】
【００１７】
【図１】本実施形態における空気調節装置の室内機の外観斜視図である。
【図２】図１の室内機において横ルーバの閉姿勢を示す側面断面図である。
【図３】図１において横ルーバの上吹出し姿勢を示す側面断面図である。
【図４】図１において横ルーバの下吹出し姿勢を示す側面断面図である。
【図５】図１において横ルーバの回動状態を示す側面断面図である。
【図６】図１に示す室内機のルーバおよびファンの制御ブロック図である。
【図７】図１に示す室内機のルーバおよびファンの制御フローチャートである。
【発明を実施するための最良の形態】
【００１８】
本発明に係る実施形態を図面に基づいて説明する。本実施形態では、空気調節装置の一例であるセパレート型空気調和機の室内機を例に説明する。この種の空気調和機は、室内機の内部に収容される熱交換器と、図示しない室外機に収容される圧縮機、四方弁、室外熱交換器、絞り装置（共に図示せず）とが冷媒管によって接続されて冷凍サイクルが構成され、冷房、暖房、除湿などの各種運転モードを実行できるようになっている。
【００１９】
室内機は、図２に示すように、キャビネット１の上面に室内空気を吸込む吸込口２が形成され、キャビネット１の前面下方の開口３に吹出口４が形成されている。キャビネット１の内部には、吸込口２から吹出口４に至る空気通路５が形成され、この空気通路５には熱交換器６とファン７とが配置されている。
【００２０】
キャビネット１は、図１に示すように、背面板８、左カバー９、右カバー１０、および前面パネル１１およびルーバユニット１２が互いに組み合わされて外装を構成している。
【００２１】
吸込口２には、その前面側にグリル１３が設けられると共に、吸込口２の裏面側にはフィルタ１４が配置される。フィルタ１４は、前面パネル１１を開放することにより、前側から取り出すことができる。熱交換器６は、空気通路５の吸込口側には逆Ｖ字形に配置される。逆Ｖ字形の熱交換器のうち前側の熱交換器６ａの下方には断面上開放コ字形のドレンパン１５が配置される。
【００２２】
ファン７は、空気通路５において熱交換器６より下流側に配置される。ファン７は、クロスフローファンであって、逆Ｖ字形の熱交換器６に囲まれるように配置される。
【００２３】
空気通路５のうち、ファン７よりも下流側には、前後両側に送風案内壁が形成され、ファン７からの送風を吹出口４からキャビネット１の前面開口に導くようになっている。空気通路５のうち、前側の送風案内壁は、前記ドレンパン１５の後壁面１５ａおよび底壁面１５ｂから構成される。後側の送風案内壁は、前記キャビネット１の背面板８の前側に形成された後案内壁１６から構成される。後案内壁１６は、ファン７からの送風を前方に案内するよう凹状曲面に形成される。ドレンパン１５の後壁面１５ａと背面板８側の後案内壁１６との間に隙間を空けてファン７が配置されている。
【００２４】
ルーバユニット１２は風向変更装置の一部を構成している。ルーバユニット１２は、中央部に吹出口４を形成する周縁部材１７と、吹出口４の前方に回動自在に設けられた横ルーバ１８と、横ルーバ１８の後側で吹出口４に配置されファン７からの風を整流する整流板１９と、横ルーバ１８の後方に揺動自在に配置された複数の縦ルーバ２０とを備えている。
【００２５】
周縁部材１７は、縦ルーバ２０を揺動自在に支持する下側部材２１と、左右の側板２２と、上側部材とが枠状に一体形成され、中央部に吹出口４が形成されている。上側部材はドレンパン１５により構成され、ドレンパン１５の底壁面１５ｂが吹出口４の上側口壁面を構成している。
【００２６】
下側部材２１は、キャビネット１の下側外装を構成するもので、その後端部が背面板８の前側部に係止されると共に、周縁部材１７がネジにより背面板８に固定される。下側部材２１の上面は、背面板８の後案内壁１６に連続するよう緩やかに前方へ下り傾斜した送風案内面２１ａとされる。
【００２７】
この送風案内面２１ａには、複数の縦ルーバ２０が揺動自在に設けられ、ファン１５からの風を左右方向に変更するようになっている。各縦ルーバ２０は、板状に形成され、前後方向で中間部が薄肉に形成されて左右方向に揺動自在とされている。各縦ルーバ２０の後端部は下側部材２１に形成された係合部に後方より着脱自在に係合される。各縦ルーバ２０の前端部は、風向を変更するためのもので、中間の薄肉部によって左右方向に角度を変更できるようになっている。
【００２８】
複数の縦ルーバ２０は、前端部に連結された左右方向の連結棒２５によって左右方向に連結され、図示しないが、連結棒２５の一端に連結された縦ルーバモータ２３（図６参照）によって、複数の縦ルーバ２０が左右方向に連動して揺動するようになっている。
【００２９】
整流板１９は、吹出口４の上下方向のほぼ中間位置で、縦ルーバ２０の上方で、かつドレンパン１５の後壁面１５ａと底壁面１５ｂとの角部である下端鼻先部１５ｃに対向して配置されている。整流板１９は、ドレンパン１５の下端鼻先部１５ｃで起こる乱流を整流して前方に吹出すことができるよう、縦方向の短軸と前後方向の長軸により形成される扁平な断面楕円形に形成されている。この整流板１９は、周縁部材１７の左右の側板２２間に差し渡される。整流板１９は、その整流作用と共に、ユーザーの指先が吹出口４から侵入してファン７に接触するのを防止する役目も担っている。
【００３０】
横ルーバ１８は、１枚の板材から構成され、横ルーバ１８の左右両端部が、軸方向を左右方向とする回動軸２６周りに回動自在に周縁部材１７の側板２２に軸支されている。回動軸２６に連結された横ルーバモータ２４（図６参照）により駆動される。本例では、横ルーバ１８の回動軸２６は、横ルーバ１８の上端部に位置する。なお、横ルーバ１８が回動する際、その上端部がドレンパン１５の底壁面１５ｂと衝突して回動が規制されるのを防止するため、ドレンパン１５の底壁面１５ｂが凹状に形成されている。
【００３１】
横ルーバ１８は、その閉姿勢においてキャビネット１の前面開口３を覆うように配置され、キャビネット１の前面開口３の曲面形状に合わせた曲面状に形成されている。したがって、この横ルーバ１８の閉姿勢では、吹出口４が横ルーバ１８によりほぼ閉塞された状態となり、横ルーバ１８の表面側１８ａがキャビネット１の外観の一部を構成することになる。
【００３２】
横ルーバ１８の内面（裏面）形状も表面側形状に合わせて曲面状に形成される。すなわち、横ルーバ１８は、側面視で弓状に湾曲して形成され、その内面側（裏面側）が凹状曲面とされている。そして、横ルーバ１８は、その上吹出し姿勢Ａで、後側に位置する整流板１９と協働して横ルーバ単体の奥行き長さよりも長い送風案内路が形成される。
【００３３】
また、横ルーバ１８は、キャビネット１の開口３を閉塞する閉姿勢Ｂと、横ルーバ１８の下端１８ｃを整流板１９側に回動し横ルーバ１８の上面（裏面）１８ｂと整流板１９の上面１９ａとの協働により一つの送風案内路を形成するようにした上吹出し姿勢Ａと、横ルーバ１８の下端１８ｃをキャビネット１の外側まで回動して突出させ、吹出口４から吹出す風を下方に導く下吹出し姿勢Ｃとをとることができる。
【００３４】
すなわち、横ルーバ１８は、上吹出し姿勢Ａと下吹出し姿勢Ｃとの間で回動自在とされる。この横ルーバ１８の上吹出し姿勢Ａと下吹出し姿勢Ｃとの回動軌跡の途中にキャビネット１の開口３を閉塞する閉姿勢Ｂが存在する。
【００３５】
また、横ルーバ１８を吹出口４の前面において回動自在に駆動制御してファン７からの送風の吹出し方向を変更する制御部３０が設けられる。制御部３０は、マイコンから構成され、図６に示すように、入力側にリモコンなどに設けられる操作部３１と、横ルーバ１８の位置を検出するルーバ位置検出部３２とが接続される。制御部３０の出力側には、横ルーバモータ２４、縦ルーバモータ２３、およびファンモータ３３が接続される。
【００３６】
制御部３０では、リモコンなどに搭載される操作部３１からの指令信号により、運転開始や運転モードの切換えが行われる。例えば、制御部３０では、操作部３１から暖房運転モードの指令信号が入力されると、横ルーバ１８を閉姿勢Ｂから下吹出し姿勢Ｃに回動するよう横ルーバモータ２４を駆動制御する。また、操作部３１から冷房運転モードの指令信号が入力されると、横ルーバ１８を閉姿勢から上吹出し姿勢Ａに回動するよう横ルーバモータ２４を駆動制御する。また、各運転モードにより、上吹出し姿勢Ａから下吹出し姿勢Ｃへの切換え、あるいは、下吹出し姿勢Ｃから上吹出し姿勢Ａへの切換えが行われる。例えば、横ルーバ１８を下吹出し姿勢Ｃによりファン７からの風を床面側に送風して床面側を局所的に急速冷房し、次いで、下吹出し姿勢Ｃから上吹出し姿勢Ａに切換えて、ファン７からの冷気を天井側に向けて遠方まで放出する運転モードもある。
【００３７】
ルーバ位置検出部３２は、横ルーバ１８の姿勢を検出するためのもので、各姿勢Ａ，Ｂ，Ｃに対応して周縁部材１７に配置されたマイクロスイッチや光学センサなどから構成することができる。あるいは、横ルーバモータ２４がステッピングモータである場合、横ルーバモータ２４に印加されるパルス信号から演算して横ルーバ１８の位置を検出する構成も採用することができる。
【００３８】
制御部３０は、ルーバ位置検出部３２からの信号を受けて、上吹出し姿勢Ａ、閉姿勢Ｂおよび下吹出し姿勢Ｃの位置に横ルーバ１８を停止させることができる。特に、制御部３０は、横ルーバ１８の上吹出し姿勢Ａにおいて横ルーバ１８の上面（内面１８ｂ）と整流板１９の上面１９ａとの協働により、横ルーバ単体の奥行き長さよりも長い送風案内路を形成するよう、横ルーバ１８の回動姿勢（上吹出し姿勢）を制御している。
【００３９】
また、制御部３０は、操作部３１からの指令信号により、あるいは図示しない温度センサからの温度信号によりファンモータ３３の回転速度制御を行ない、ファン７の風量を制御することができる。
【００４０】
さらに、制御部３０は、横ルーバ１８の回動状態によってもファンモータ３３の回転速度制御を行う。すなわち、横ルーバ１８を下吹出し姿勢Ｃあるいは上吹出し姿勢Ａから閉姿勢Ｂに切換えるとき、ファンモータ３３を低速または停止するよう制御する。これは、横ルーバ１８の閉姿勢Ｂでは、図２に示すように、キャビネット１の開口がほぼ閉塞された状態となるため、この状態でファンモータ３３を通常どおり運転すると、ファン７にかかる負荷が軽くなる。すると、ファン７の回転数が上がるため、異音の発生原因となる。そこで、制御部３０は、横ルーバ１８が閉姿勢Ｂに移行する際にはファン７を停止させるよう制御する。
【００４１】
また、横ルーバ１８が、上吹出し姿勢Ａから下吹出し姿勢Ｃへの切換えにより閉姿勢Ｂに移行する際、あるいはその逆に、横ルーバ１８が下吹出し姿勢Ｃから上吹出し姿勢Ａへの切換えにより閉姿勢Ｂに移行する際、制御部３０は、ルーバ位置検出部３２からの信号を受けて、横ルーバ１８の閉姿勢Ｂに近づくにつれ、ファン７を停止あるいは低速運転に切換える制御と、横ルーバ１８が閉姿勢Ｂを通過して上吹出し姿勢Ａあるいは下吹出し姿勢Ｃに移行するため開口３を開いたときには、再びファン７の回転速度を上げるように制御する。これにより、閉姿勢Ｂに近づくにつれファン７にかかる負荷が軽くなり、ファン７の回転数が上がることによって、異音が発生するのを防止でき、かつ開口３が開いた状態では送風が再開されるので、快適な運転状態が得られる。
【００４２】
すなわち、制御部３０は、ルーバ位置検出部３２からの信号により横ルーバ１８の姿勢を監視しつつ、横ルーバ１８が閉姿勢に切換るとき、ファンモータ３３を停止あるいは低速で駆動するよう制御する。また、制御部３０は、横ルーバ１８が閉姿勢から上吹出し姿勢Ａまたは下吹出し姿勢Ｃに切換るとき、ファンモータ３３の回転速度を徐々に上げて元の回転速度で駆動するよう制御する。
【００４３】
さらに、制御部３０では、横ルーバモータ２４の回転速度制御も行ない、上吹出し姿勢Ａから閉姿勢Ｂに切換える場合と、下吹出し姿勢Ｃから閉姿勢Ｂに切換える場合とで異なる回転速度で横ルーバ１８の回動速度を制御している。
【００４４】
これは、横ルーバ１８の上吹出し姿勢Ａから閉姿勢Ｂへの回動角度が、下吹出し姿勢Ｃから閉姿勢Ｂへの回動角度よりも小さいためである。すなわち、キャビネット１の開口３がキャビネットの前面下部において斜め下向きに形成されていることから、横ルーバ１８の閉姿勢Ｂは、その下端１８ｃを鉛直方向よりも吹出口側に傾斜した状態となる。一方、横ルーバ１８の下吹出し姿勢Ｃは、その下端１８ｃが鉛直方向よりも前方側に開いた状態である。他方、横ルーバ１８の上吹出し姿勢Ａは、その下端１８ｃが整流板１９に近接した状態である。
【００４５】
したがって、横ルーバ１８の閉姿勢Ｂから上吹出し姿勢Ａまでの回動角は、下吹出し姿勢Ｃまでの回動角よりも小さい。そのため、回動角の異なる姿勢への切換えを同じ速度で行うと、閉姿勢Ｂから上吹出し姿勢Ａへの移行時間が閉姿勢Ｂから下吹出し姿勢Ｃへの移行時間よりも短いため、上吹出し姿勢Ａから閉姿勢Ｂへの移行時にファンモータ３３の回転を遅くする回転速度制御（停止制御）が横ルーバ１８の回動速度に追い付かない可能性がある。
【００４６】
そこで、制御部３０では、横ルーバ１８の上吹出し姿勢Ａから閉姿勢Ｂへの移行時においては、下吹出し姿勢Ｃから閉姿勢Ｂへの移行時よりも横ルーバモータ２４の回転速度が遅くなるように制御して、閉姿勢Ｂにおいてファンモータ３３が確実に停止または低速駆動されるように制御している。言い換えれば、横ルーバ１８の上吹出し姿勢Ａから閉姿勢Ｂまでの回動角と、下吹出し姿勢Ｃから閉姿勢Ｂまでの回動角とのうち小さい方の回動角を有する横ルーバ１８の回動切換え動作では、横ルーバモータ２４の回転速度が遅くなるように制御して、その横ルーバ１８の回動切換え動作時に、ファンモータ３３の回転速度を遅くする回転速度制御が追い付くようにしている。これにより、閉姿勢Ｂに近づくにつれファン７にかかる負荷が軽くなり、ファン７の回転数が上がることによって起こる異音の発生を防止することができる。
【００４７】
上記構成において、室内機の停止状態では、図２に示すように、横ルーバ１８がキャビネット１の前面開口３をほぼ閉塞する閉姿勢Ｂになっている。ここで、操作部３１から運転指令、たとえば、冷房運転指令が出力されると、制御部３０では、その信号を受けて、冷凍サイクルを駆動し、また、横ルーバ１８を閉姿勢Ｂから上吹出し姿勢Ａ（図３参照）に切換え、ファンモータ３３を駆動制御する。これにより、ファン７が回転して送風が空気通路５を通って吹出口４から前方に吹出される。
【００４８】
横ルーバ１８の上吹出し姿勢Ａでは、横ルーバ１８の内面１８ｂと整流板１９の上面１９ａとの協働により両者が擬似的に一体化され、ほぼ連続するようになり、一つの送風案内路を形成する。つまり、その送風案内路は、前後方向で横ルーバ単体の送風案内路よりも長い送風案内路となるので、風を遠方まで送ることができ、送風性能を向上させることができる。
【００４９】
この場合、既設の横ルーバ１８と整流板１９との組み合わせにより、前後方向で長い送風案内路を形成することになるので、横ルーバ単体の奥行きを長くしたり、他の導風部材を追加する場合に比べて、部品点数を抑えてコンパクト化でき、かつコスト低減にもつながる。
【００５０】
このとき、横ルーバ１８の内面側が凹状曲面となっているので、送風案内路は、吹出口４から吹き出す風を凹状曲面に沿って斜め上方（天井方向）に向かって放出することになり、遠くまで風を送ることができる。
【００５１】
一方、操作部３１から例えば暖房運転指令が出力されると、制御部３０では、その信号を受けて、冷凍サイクルを駆動し、所定の条件が整えば、横ルーバ１８を閉姿勢Ｂから下吹出し姿勢Ｃ（図４参照）に切換えるよう横ルーバモータ２４とファンモータ３３を駆動制御する。
【００５２】
ファン７が駆動されると、送風案内路を通って吹出口４から前方に送風される。この風はキャビネット１の前面開口３に位置する横ルーバ１８の内面１８ｂに当たり、下方に導かれ、下吹出し状態となる。
【００５３】
暖房あるいは冷房運転などの送風状態においては、操作部３１からの風向変更指令を制御部３０が受けると、制御部３０では、縦ルーバモータ２３を駆動制御し、縦ルーバ２０を揺動してファン７からの送風を左右方向に変更する。
【００５４】
図７はルーバおよびファンの制御フローチャートである。このフローチャートにおいて、ルーバは横ルーバ１８を、ルーバモータは横ルーバモータ２４を意味する。また、本例においては、横ルーバ１８の上吹出し姿勢Ａから下吹出し姿勢Ｃへのルーバ切換え動作と、下吹出し姿勢Ｃから上吹出し姿勢Ａへの切換え動作を、わかり易く説明するため、上吹出し姿勢Ａまたは下吹出し姿勢Ｃから閉姿勢Ｂへの切換え動作（ステップ１１（Ｓ１１）〜ステップ１６（Ｓ１６））と、閉姿勢Ｂから上吹出し姿勢Ａまたは下吹出し姿勢Ｃへの切換え動作（ステップ１７（Ｓ１７）〜ステップ２０（Ｓ２０））を分けて説明する。
【００５５】
また、閉姿勢Ｂから上吹出し姿勢Ａまたは下吹出し姿勢Ｃへの切換え動作は、ステップ１７（Ｓ１７）からステップ２０（Ｓ２０）の動作フローとなっている。また、横ルーバ１８の切換え動作は、冷房運転時と暖房運転時において、種々の態様が考えられるので、夫々の運転モードに言及することなく、横ルーバモータ２４とファンモータ３３の切換え動作のみに限定して制御方法を説明する。
【００５６】
まず、運転開始後に横ルーバ１８の切換え指令信号が入力されたか否かを判断する（Ｓ１０）。切換え指令信号が入力されているならば、ステップ１１（Ｓ１１）に進み、そうでなければ切換え指令信号が入力されるまで待機する。ステップ１１では、切換え指令信号が上吹出し姿勢Ａから閉姿勢Ｂへの切換え指令（上吹出し姿勢Ａから下吹出し姿勢Ｃへの切換え指令を含む）か否かを判断し、上吹出し姿勢Ａから閉姿勢Ｂへの切換え指令のとき、ルーバモータ２４を通常の速度よりも低速で駆動しながら、横ルーバ１８を上吹出し姿勢Ａから閉姿勢Ｂへ切換え（Ｓ１２）、ファンモータ３３が横ルーバ１８の閉姿勢で確実に停止または所定の低速運転になるようにする。
【００５７】
切換え指令信号が下吹出し姿勢Ｃから閉姿勢Ｂへの切換え指令（下吹出し姿勢Ｃから上吹出し姿勢Ａへの切換え指令を含む）のとき（Ｓ１３：Ｙｅｓ）、横ルーバモータ２４を通常の速度で制御し、横ルーバ１８が閉姿勢Ｂに移行したか否かを判断し（Ｓ１５）、横ルーバ１８が閉姿勢に切換えられたとき、ファンモータ３３および横ルーバモータ２４を一旦停止する（Ｓ１６）。
【００５８】
そして、さらにルーバの開指令信号が入力されているか否かを判断する（Ｓ１７）。この場合、上吹出し姿勢Ａから閉姿勢Ｂへの切換え指令、あるいは下吹出し姿勢Ｃから閉姿勢Ｂへの切換え指令の場合、横ルーバ１８は閉姿勢を維持することになるので、開指令信号は入力されていないことになる。このように開指令信号が入力されていない場合（Ｓ１７：Ｎｏ）、そのまま終了する。
【００５９】
開指令信号が入力されている場合（Ｓ１７：Ｙｅｓ）、横ルーバモータ２４およびファンモータ３３を通常の速度で再駆動し（Ｓ１８）、指定姿勢（上吹出し姿勢Ａまたは下吹出し姿勢Ｃ）になったとき、横ルーバモータ２４を停止する（Ｓ２０）。
【００６０】
ここで、開指令信号には、閉姿勢Ｂから上吹出し姿勢Ａまたは下吹出し姿勢Ｃに切換える指令信号と、横ルーバ１８の上吹出し姿勢Ａから下吹出し姿勢Ｃへのルーバ切換え指令信号、または、下吹出し姿勢Ｃから上吹出し姿勢Ａへの切換え指令信号が含まれる。上吹出し姿勢Ａから下吹出し姿勢Ｃへのルーバ切換え指令信号、または、下吹出し姿勢Ｃから上吹出し姿勢Ａへの切換え指令信号が入力された場合、制御部３０では、記憶部にこれらの指令信号を記憶しておき、これらを開指令信号として、ステップ１７（Ｓ１７）で「ルーバ開指令有り」の判断に使用することになる。
【００６１】
このように、横ルーバ１８が閉姿勢Ｂに切換る場合、送風を確実に停止または低速運転することにより、異音が発生するのを防止することができ、また、横ルーバ１８が回動し開口３が開いた状態では送風が再開されるので、快適な運転状態を得ることができる。
【００６２】
さらに、制御部３０では、横ルーバ１８の上吹出し姿勢Ａから閉姿勢Ｂへの移行時においては、下吹出し姿勢Ｃから閉姿勢Ｂへの移行時よりも横ルーバモータ２４の回転速度が遅くなるように制御して、閉姿勢Ｂにおいてファンモータ３３が確実に停止または低速駆動されるように制御しているので、異音が発生するのを防止することができる。
【００６３】
なお、上記実施形態では、冷凍サイクルを備えた空気調和機の室内機における風向変更装置を例示したが、空気清浄機、除湿器、加湿器、冷蔵庫など、ファンおよび吹出口を有する他の空気調節装置においても本発明を適用できることは勿論である。
【符号の説明】
【００６４】
１    キャビネット
２    吸込口
３    キャビネットの開口
４    吹出口
５    空気通路
６    熱交換器
７    ファン
８    背面板
９    左カバー
１０    右カバー
１１    前面パネル
１２    ルーバユニット
１３    グリル
１４    フィルタ
１５    ドレンパン
１５ａ    ドレンパンの後壁面
１５ｂ    ドレンパンの底壁面
１５ｃ    ドレンパンの鼻先部
１６    背面板の後案内壁
１７    周縁部材
１８    横ルーバ
１８ａ  横ルーバの表面
１８ｂ  横ルーバの裏面
１８ｃ  横ルーバの下端
１９    整流板
１９ａ  整流板の表面
２０    縦ルーバ
２１    下側部材
２２    側板
２３    縦ルーバモータ
２４    横ルーバモータ
２５    連結棒
２６    回動軸
３０    制御部
３１    操作部
３２    ルーバ位置検出部
３３    ファンモータ
【図１】
2011064453.tif 000003
【図２】
2011064453.tif 000004
【図３】
2011064453.tif 000005
【図４】
2011064453.tif 000006
【図５】
2011064453.tif 000007
【図６】
2011064453.tif 000008
【図７】
2011064453.tif 000009